(57)【要約】【課題】個人に必要な案内情報を提供するための情報提供システム及び情報提供装置並びに情報提供方法、情報提供プログラムに関し、個人を目的地に的確に案内できる情報提供システム及び情報提供装置並びに情報提供方法、情報提供プログラムを提供することを目的とする。【解決手段】本発明は、現実の時空間を指示する時空間指示手段と、時空間指示手段により指示された時空間情報によりネットを検索して、時空間情報に応じた情報を提供する情報提供手段とを有することを特徴としており、例えば、端末装置の位置を検出し、検出された端末装置の位置に基づいて端末装置に情報を提供したり、歩行者の位置を位置検出手段により検出し、歩行者の通行経路に設けられており、歩行者に情報を出力する情報出力手段のうち位置検出手段で検出した位置に近接した情報出力手段に情報を提供したりする。【選択図】　図１
2004021731.tif 000002
【特許請求の範囲】
【請求項１】
現実の時空間を指示する時空間指示手段と、
前記時空間指示手段により指示された時空間情報によりネットを検索して、前記時空間情報に応じた情報を提供する情報提供手段とを有することを情報提供システム。
【請求項２】
前記情報提供手段は、前記情報の前記ネット上のアドレスが時空間構成とされたことを特徴とする請求項１記載の情報提供システム。
【請求項３】
端末装置と、
前記端末装置の位置を検出する位置検出手段と、
前記位置検出手段で検出された前記端末装置の位置に基づいて情報を提供する情報提供手段とを有することを特徴とする情報提供システム。
【請求項４】
前記位置検出手段は、ＧＰＳシステムを用いて前記端末装置の位置を検出することを特徴とする請求項４記載の情報提供システム。
【請求項５】
前記位置検出手段は、前記端末装置に内蔵されたことを特徴とする請求項３又は５記載の情報提供システム。
【請求項６】
前記位置検出手段は、空間に分散して配置された、複数の情報出力手段を有し、
前記複数の情報出力手段は、近傍に存在する端末装置に情報を送出し、
前記端末装置は、前記複数の情報出力手段のうち近接する情報出力手段からの情報を受信し、出力することを特徴とする請求項３乃至５のいずれか一項記載の情報提供システム。
【請求項７】
前記端末装置は、予め設定された目的地への遠近に応じて出力状態を変化させることを特徴とする請求項１乃至６のいずれか一項記載の情報提供システム。
【請求項８】
前記情報提供手段は、前記位置検出手段で検出された位置に応じた情報を提供することを特徴とする請求項３乃至７のいずれか一項記載の情報提供システム。
【請求項９】
前記情報は、地図情報を含むことを特徴とする請求項８記載の情報提供システム。
【請求項１０】
前記情報は、音声案内を含むことを特徴とする請求項４又は８又は９記載の情報提供システム。
【請求項１１】
前記情報は、個別に設定されたキャラクタを地図上に表示する情報であることを特徴とする請求項３乃至１０のいずれか一項記載の情報提供システム。
【請求項１２】
前記情報提供手段は、前記端末装置間で情報交換を可能としたことを特徴とする請求項３乃至１１のいずれか一項記載の情報提供システム。
【請求項１３】
情報を出力する端末装置と、
情報を提供する情報提供装置と、
位置情報を検出し、前記端末装置に供給するとともに、前記情報提供装置から前記位置情報に応じた出力情報を取得し、前記端末装置に供給する情報出力装置とを有することを特徴とする情報提供システム。
【請求項１４】
歩行者の位置を検出する位置検出手段と、
前記歩行者の通行経路に設けられており、前記歩行者に情報を出力する情報出力手段と、
前記複数の情報出力手段のうち前記位置検出手段で検出した位置に近接した情報出力手段に情報を提供する情報提供手段とを有することを特徴とする情報提供システム。
【請求項１５】
情報を出力する端末装置の位置を認識する位置認識手段と、
前記位置認識手段で認識された前記端末装置の位置に基づいて前記端末装置に情報を提供する情報提供手段とを有することを特徴とする情報提供装置。
【請求項１６】
前記情報提供手段は、前記位置認識手段で認識された位置に応じた案内情報を前記端末装置に提供することを特徴とする請求項１５記載の情報提供装置。
【請求項１７】
前記情報提供手段は、情報を出力する複数の情報出力装置のうち前記位置認識手段で検出された位置に近接した情報出力装置に前記情報を提供することを特徴とする請求項１５又は１６のいずれか一項記載の情報提供装置。
【請求項１８】
歩行者の位置を認識する位置認識手段と、
前記歩行者の通行経路に設けられ、前記歩行者に情報を出力する複数の情報出力装置のうち前記位置認識手段で検出した位置に近接した情報出力装置に情報を提供する情報提供手段とを有することを特徴とする情報提供装置。
【請求項１９】
現実の時空間情報を指示する時空間指示手順と、
前記時空間指示手順で指示された時空間と、ネット上の情報とを相互にリンクさせるリンク手順とを有することを特徴とする情報提供方法。
【請求項２０】
歩行者の位置を検出し、
前記歩行者に検出位置に応じた情報を前記歩行者に近接した情報出力装置に提供することを特徴とする情報提供方法。
【請求項２１】
コンピュータに、
指示された現実の時空間情報と、ネット上のウェブ情報とを相互にリンクさせることを特徴とする情報提供プログラム。
【請求項２２】
情報を出力する携帯端末装置の位置を認識する位置認識手順と、
前記位置認識手順で認識された前記携帯端末装置の位置に基づいて前記携帯端末装置に情報を提供する情報提供手順とをコンピュータに実行させる情報提供プログラム。
【発明の詳細な説明】
【０００１】
【発明の属する技術分野】
本発明は情報提供システム及び情報提供装置並びに情報提供方法、情報提供プログラムに係り、特に、個人に必要な情報を提供するための情報提供システム及び情報提供装置並びに情報提供方法、情報提供プログラムに関する。
【０００２】
【従来の技術】
イベント、テーマパーク、エキスポ会場などの案内は、紙に印刷された、あるいはディスプレイされた固定の地図が用いられるのが一般的である。また、イベント、テーマパーク、エキスポ会場などは、既存の地図上に表示がないので、予め行き先などをシミュレートすることが困難であった。また、会場などの情報を予めインターネットなどで得る場合、従来のインターネットは現実の時空間とは無関係に設定されたＵＲＬ（ｕｎｉｆｏｒｍ　ｒｅｓｏｕｒｃｅ　ｌｏｃａｔｏｒｓ）によりウェブサイトが指定されていたため、ウェブサイトを検索する必要があった。
【０００３】
【発明が解決しようとする課題】
しかるに、従来のイベント、テーマパーク、エキスポ会場などの案内は、単なる地図を表示しているに過ぎず、ユーザに必要な情報を的確に提供することはできなかった。
【０００４】
また、従来のインターネットでは現実の時空間とは無関係に決定されているＵＲＬ（ｕｎｉｆｏｒｍ　ｒｅｓｏｕｒｃｅ　ｌｏｃａｔｏｒｓ）によりウェブサイトが指定されていたため、人間が感覚的にウェブサイトを検索することはできなかった。
【０００５】
本発明は上記の点に鑑みてなされたもので、現実の時空間とコンピュータシステム内のバーチャルな時空間とを一致するように構築し、目的とする情報を感覚的に提供できる情報提供システム及び情報提供装置並びに情報提供方法、情報提供プログラムを提供することを目的とする。
【０００６】
【課題を解決するための手段】
本発明は、現実の時空間を指示する時空間指示手段と、時空間指示手段により指示された時空間情報によりネットを検索して、時空間情報に応じた情報を提供する情報提供手段とを有することを特徴とする。
【０００７】
また、本発明は、情報のネット上のアドレスが時空間構成とされたことを特徴とする。
【０００８】
本発明によれば、ユーザがコンピュータシステム内のバーチャルな時空間を現実の時空間と同様に認識できる。よって、コンピュータシステム内のバーチャルな時空間を現実の時空間としてシミュレーションできる。また、現実の時空間とコンピュータシステム内のバーチャルな時空間とが一致するように構築されているため、目的とする情報を感覚的に取得できる。
【０００９】
また、本発明は、端末装置の位置を検出し、検出された端末装置の位置に基づいて端末装置に情報を提供することを特徴とする。
【００１０】
本発明によれば、端末装置の所有者に対して的確に、周囲の情報を提供することができるため、端末装置の所有者を目的地に的確に案内できる。
【００１１】
また、本発明は、歩行者の位置を位置検出手段により検出し、歩行者の通行経路に設けられており、歩行者に情報を出力する情報出力手段のうち位置検出手段で検出した位置に近接した情報出力手段に情報を提供することを特徴とする。
【００１２】
本発明によれば、歩行者の位置を位置検出手段により検出し、歩行者の通行経路に設けられており、歩行者に情報を出力する情報出力手段のうち位置検出手段で検出した位置に近接した情報出力手段に情報を提供することにより、歩行者が情報出力手段からの出力情報を参照することで、目的地に的確に到達できる。
【００１３】
また、本発明は、情報提供装置を介して端末装置間で情報交換を可能としたことを特徴とする。
【００１４】
本発明によれば、情報提供装置を介して端末装置間で情報交換を可能とすることにより、端末装置間でコミュニケーションをとることができる。
【００１５】
【発明の実施の形態】
図１は本発明のシステム構成図を示す。
【００１６】
本発明のシステム１は、現実の時空間２とコンピュータシステム内のバーチャルな時空間３とを有し、現実の時空間２とコンピュータシステム内のバーチャルな時空間３とが略一致するように構築されている。
【００１７】
図２は本発明の処理フローチャートを示す。
【００１８】
端末装置１１は、ユーザにより現実の時間及び空間が指示されると、ステップＳ１１で指示された時間情報、位置情報をネットワーク１２に指示する。ネットワーク１２は、ステップＳ２１で端末装置１１から指示された時間情報及び空間情報によりネットワーク１２内の情報を検索する。
【００１９】
サーバ１３は、ステップＳ３１でネットワーク１２からの情報要求があると、ステップＳ３２で要求された情報をネットワーク１２に送出する。ネットワーク１２は、ステップＳ２２でサーバ１３からの情報を端末装置１１に提供する。端末装置１１は、ネットワーク１２から提供された情報を表示する。
【００２０】
本発明によれば、ユーザがコンピュータシステム内のバーチャルな時空間を現実の時空間と同様に認識できる。よって、コンピュータシステム内のバーチャルな時空間を現実の時空間としてシミュレーションできる。また、現実の時空間とコンピュータシステム内のバーチャルな時空間とが一致するように構築されているため、目的とする情報を感覚的に取得できる。
【００２１】
〔第１実施例〕
図３は本発明の情報提供システムの第１実施例のシステム構成図を示す。
【００２２】
本実施例の情報提供システム１００は、携帯端末装置１１１、ネットワーク１１２、サーバ１１３、ＧＰＳ衛星１１４から構成される。
【００２３】
図４は携帯端末装置１１１のブロック構成図を示す。
【００２４】
携帯端末装置１１１は、例えば、携帯電話、ＰＤＡ（ｐｅｒｓｏｎａｌ　ｄｉｇｉｔａｌ　ａｓｓｉｓｔａｎｔ）から構成されており、ＧＰＳアンテナ１２１、ＧＰＳ受信部１２２、処理部１２３、メモリ１２４、表示部１２５、操作部１２６、通信部１２７、アンテナ１２８、通話部１２９から構成されている。
【００２５】
ＧＰＳアンテナ１２１は、ＧＰＳ衛星５からの電波を受信し、受信信号を生成する。ＧＰＳアンテナ１２１で生成された受信信号は、ＧＰＳ受信部１２２に供給される。ＧＰＳ受信部１２２は、ＧＰＳアンテナ１２１からの受信信号に基づいて位置情報を検出する。ＧＰＳ受信部１２２で検出された位置情報は、処理部１２３に供給される。
【００２６】
処理部１２３は、メモリ１２４に記憶されたプログラムに基づいて処理を実行する。メモリ１２４には、処理部１２３で実行されるプログラムの他に地図情報、目的地の位置情報などを記憶している。
【００２７】
表示部１２５は、液晶ディスプレイから構成され、処理部１２３からの指示に基づいて案内情報などが表示可能とされている。操作部１２６は、ポインティングデバイス、キースイッチなどから構成され、処理部１２３に指示を行うために用いられる。
【００２８】
通信部１２７は、処理部１２３からの送信情報を変調して、アンテナ１２８から送出したり、アンテナ１２８により受信された信号を復調したりする。通話部１２９は、マイク、スピーカ、音声処理回路などから構成され、音声通話に用いられる。
【００２９】
図５は、処理部１２３の処理フローチャートを示す。
【００３０】
処理部１３は、ステップＳ１−１でＧＰＳ受信部１２２から位置情報を受信すると、ステップＳ１−２で現在位置情報を受信した位置情報に更新する。次に処理部１２３は、ステップＳ１−３で現在位置情報とメモリ１２４に予め設定された目的地の位置情報と比較して、指示情報を作成する。処理部１２３は、ステップＳ１−４で、サーバ１１３に位置情報を通知する。このとき、ネットワークでは、図１、図２に示すように時間情報及び位置情報によりウェブサイトが検索される。
【００３１】
処理部１２３は、ステップＳ１−５でサーバ１１３から案内情報、あるいは地図情報を受信すると、ステップＳ１−６で表示部１２５に現在位置周辺の案内情報を表示する。なお、このとき、処理部１２３は、指示情報に基づいて目的地への経路指示する表示を行う。
【００３２】
上記ステップＳ１−１〜Ｓ１−６を繰り返すことにより表示部１２５に案内情報が表示される。ユーザは、表示部１２５の案内情報を見ることにより周囲の情報を知ることができるとともに、経路指示表示によって目的地への経路を認識できる。
【００３３】
図６は、サーバ１１３のブロック構成図である。
【００３４】
サーバ１１３は、通信部１３１、処理部１３２、データベース部１３３から構成される。
【００３５】
通信部１３１は、ネットワーク１１２を介して携帯端末装置１１１との通信制御を行う。処理部１３２は、携帯端末装置１１１から位置情報に基づいてデータベース部１３３を検索して、位置情報に応じた案内情報を取得する。
【００３６】
図７は、処理部１３２の処理フローチャートを示す。
【００３７】
処理部１３２は、ステップＳ２−１で携帯端末装置１１１から位置情報を受信すると、ステップＳ２−２でデータベース部１３３を検索し、位置情報に応じた案内情報を取得する。処理部１３２は、位置情報に応じた案内情報をデータベース部１３３から取得すると、次にステップＳ２−３で取得した案内情報を携帯端末装置１１１に送信する。
【００３８】
サーバ１１３から送信された案内情報は、携帯端末装置１１１で受信され、携帯端末装置１１１の表示部１２５に表示される。
【００３９】
図８は、表示部１２５の案内情報表示画面の一例を示す図である。図８（Ａ）は３次元表示画面、図８（Ｂ）は２次元表示画面の例を示す。
【００４０】
図８（Ａ）に示す案内情報表示画面例は、携帯端末装置１１１の表示部１２５の画面１４１に地図情報が３次元空間として表示されたものである。画面１４１には、ユーザの分身が３次元のキャラクタ１４２として表示される。なお、キャラクタ１４２は、複数のキャラクタから選択可能とされている。
【００４１】
このような表示によって、ユーザがあたかも３次元の仮想空間に存在するかの如く表示される。また、画面１４１には、ショップＳ１、Ｓ２等の情報Ｄ１、Ｄ２が表示される。ユーザは、ショップＳ１、Ｓ２の情報Ｄ１、Ｄ２を参照することにより所望のショップを探すことが可能となる。このとき、情報Ｄ１、Ｄ２をクリックすることによりショップＳ１、Ｓ２の詳細な情報が表示される。
【００４２】
このとき、ユーザは、携帯端末装置１１１の操作部１２６を操作することによりキャラクタ１４２を３次元空間中で自在に移動させることができる。ユーザはキャラクタ１４２を３次元空間中で移動させることにより、目的地を探し、メモリ１２４にセットすることができる。ユーザは、仮想空間内の目的地をメモリ１２４にセットすることにより、図８（Ａ）に示すように現在位置から目的地までガイドする案内矢印１４３が表示される。
【００４３】
なお、図８（Ａ）は、案内情報が３次元空間として表示されているが、２次元表示するようにしてもよい。
【００４４】
図８（Ｂ）に示す案内情報表示画面例は、携帯端末装置１１１の表示部１２５の画面１４１に地図が２次元表示されたものである。このとき、現在位置には、マークＰ０が表示される。ユーザは、案内情報表示画面１４１に表示されたキャラクタ１４２を参照することにより、自分の現在位置を認識できる。また、案内矢印１４３を参照することにより目的地までスムーズに移動できる。
【００４５】
なお、表示部１２５の表示画面１４１に表示される地図は、携帯端末装置１１１のメモリ１２４に予め記憶されていも、サーバ１１３から案内情報として送信されるようにしてもよい。
【００４６】
なお、本実施例では、表示部１２５への表示で案内を行うように説明したが、携帯端末装置１１１の通話部１２９の機能を用いて案内を音声で行うようにすることも可能である。
【００４７】
また、携帯端末装置１１１が携帯電話などの場合には、通常バイブレーション機能が付いている。携帯端末装置１１１にサーバ１１３から新たに情報が提供された場合などには、このバイブレーション機能を用いてユーザに知らせるようにしてもよい。
【００４８】
さらに、本実施例では、表示部１２５に目的地までの指示を表示させたが、目的地までの指示は、音、光により行うようにしてもよい。例えば、出力音を目的地に近づくについて大きくし、目的地から遠ざかるにしたがって小さくしたり、目的地が近づくにつれて出力音の周波数を高くし、遠ざかるにつれて出力音の周波数を低くしたりするなどの出力方法が考えられる。また、光の強度を目的地に近づくにつれて強くし、離れるにしたがって弱くしたり、光の点滅の周期を目的地が近づくにつれて短くし、目的地から離れるにしたがって長くしたりするなどの出力方法も考えられる。さらに、振動の強度を目的地に近づくにつれて強くし、離れるにしたがって弱くしたり、振動の間隔を目的地が近づくにつれて短くし、離れるにしたがって長くしたりするなどの案内方法も考えられる。
【００４９】
〔第２実施例〕
図９は本発明の情報提供システムの第２実施例のシステム構成図を示す。同図中、図３と同一構成部分には同一符号を付し、その説明は省略する。
【００５０】
本実施例の情報提供システム２００は、情報出力装置２０２を有する。情報出力装置２０２は、携帯端末装置２０１に位置情報及び出力情報を供給する。
【００５１】
まず、携帯端末装置２０１について説明する。
【００５２】
図１０は携帯端末装置２０１のブロック構成図を示す。同図中、図４と同一構成部分には同一符号を付し、その説明は省略する。
【００５３】
本実施例の携帯端末装置２０１は、ＧＰＳアンテナ１２１、ＧＰＳ受信部１２２に代えて、無線通信部２１１を設けた構成とされている。無線通信部２１１は、情報出力装置２０２との通信を行う装置である。
【００５４】
次に、情報出力装置２０２について説明する。
【００５５】
図１１は情報出力装置２０２のブロック構成図を示す。
【００５６】
情報出力装置２０２は、位置検出部２２１、処理部２２２、メモリ２２３、通信部２２４、無線通信部２２５を含む構成とされている。位置検出部２２１は、例えば、ＧＰＳシステムに基づいて装置の位置情報を検出する。処理部２２２は、メモリ２２３に記憶されたプログラムに基づいて処理を実行する。通信部２２４は、ネットワーク１１２との通信を行う。無線通信部２２５は、携帯端末装置２０１との通信を行う。
【００５７】
次に図１２は本発明の第２実施例の動作フローチャートを示す。
【００５８】
まず、情報出力装置２０２の処理部２２２は、ステップＳ２０１で位置検出部２２１からの位置情報を取得すると、ステップＳ２０２で位置情報を携帯端末装置２０１及びサーバ１１３に送出する。サーバ１１３は、情報出力装置２０２からの位置情報を受信すると、ステップＳ３０１でデータベース部１１３から位置情報に応じた情報を検索し、ステップＳ３０２で検索された情報を情報出力装置２０２に送信する。
【００５９】
情報出力装置２０２は、ステップＳ２０３で出力情報を取得すると、ステップＳ２０４で携帯端末装置２０１に出力情報を送出する。携帯端末装置２０１は、ステップＳ１０２で情報出力装置２０２から出力情報を受信すると、出力情報を表示部１２５に表示する。このとき、ステップＳ１０１で取得した位置情報と目的地の位置情報とを比較して目的地への経路を表示する。なお、このとき、ネットワーク１１２では、図１、図２に示すように時間情報及び位置情報により、ウェブサイトが検索される。
【００６０】
〔第３実施例〕
図１３は本発明の情報提供システムの第３実施例のシステム構成図を示す。同図中、図３と同一構成部分には同一符号を付し、その説明は省略する。
【００６１】
本実施例の情報提供システム３００は、識別装置３０１、情報提供端末装置３０２、ネットワーク３０３、サーバ３０４から構成される。
【００６２】
図１４は識別装置３０１のブロック構成図を示す。
【００６３】
識別装置３０１は、各個人を識別する装置であり、発振器３１１、変調部３１２、識別コード生成部３１３、位置検出部３１４、アンテナ３１５から構成される。
【００６４】
発振器３１１は、搬送波周波数の信号を発振する。発振器３１１の出力は、変調部３１２に供給される。変調部３１２には、識別コード生成部３１３から識別コードが供給されるとともに、位置検出部３１４から位置情報が供給される。
【００６５】
識別コード生成部３１３は、予め与えられた識別コードを生成する。また、位置検出部３１４は、ＧＰＳシステムなどから構成され、位置を検出し、位置情報を生成する。
【００６６】
変調部３１２は、発振器３１１の出力搬送波を識別コード生成部３１３からの識別コード及び位置検出部３１４から位置情報の合成データにより変調する。変調部３１２の出力は、アンテナ３１５に供給される。アンテナ３１５は、変調部３１３の出力を送出する。
【００６７】
アンテナ３１４から送出された変調出力は、情報提供端末装置３０２に供給される。
【００６８】
図１５は、情報提供端末装置３０２のブロック構成図を示す。
【００６９】
情報提供端末装置３０２は、検出部３２１、処理部３２２、メモリ３２３、通信部３２４、表示部３２５、操作部３２６から構成される。
【００７０】
検出部３２１は、識別装置３０１から出力された変調出力を受信し、識別コードを復調する。検出部３２１で復調された識別コードは、処理部３２２に供給される。処理部３２２は、メモリ３２３に記憶されたプログラムに基づいて処理を実行する。処理部３２２は、プログラムにより検出部３２１から供給された識別コード及び位置情報、並びに操作部３２６から操作指示に基づいてサーバ３０４から情報を取得し、表示部３２５に表示させる処理を行う。
【００７１】
通信部３２４は、ネットワーク３０３との通信制御を行う。表示部３２５は、液晶パネル、ＰＤＰなどの大型画面の表示装置から構成され、時空間情報である位置情報に対してリンクされたウェブ情報を表示する。操作部３２６は、ポインティングデバイスやキーボードから構成され、処理部３２２に指示を送る。
【００７２】
図１６は、処理部３２２の処理フローチャートを示す。
【００７３】
処理部３２２は、ステップＳ３−１で検出部３２１から識別コード及びその位置情報を受信すると、ステップＳ３−２で識別コード及び位置情報をサーバ３０４に送信する。処理部３２２は、ステップＳ３−３でサーバ３０４から案内情報を受信すると、ステップＳ３−４で表示部３２５に表示する。
【００７４】
以上により、表示部３２５に情報提供端末装置３０２の近傍に存在する識別装置３０１を所持する人Ｐ１〜Ｐ３を案内するキャラクタ３３１〜３３３が表示される。
【００７５】
図１７は、サーバ３０４のブロック構成図を示す。
【００７６】
サーバ３０４は、通信部３４１、処理部３４２、データベース部３４３から構成される。
【００７７】
通信部３４１は、ネットワーク３０３を介して情報提供端末装置３０２との通信制御を行う。処理部３４２は、情報提供端末装置３０２から位置情報に基づいてデータベース部３４３を検索して、位置情報に応じた案内情報を取得する。なお、データベース部３４３には、３次元空間情報、その周囲のショップや、イベントなどの情報、さらに、キャラクタ３３１〜３３３などの情報あるいはウェブページなどの情報を管理している。
【００７８】
図１８は、処理部３４２の処理フローチャートを示す。
【００７９】
処理部３４２は、ステップＳ４−１で情報提供端末装置３０２から識別コード及び位置情報を受信すると、ステップＳ４−２でデータベース部３４３を検索し、識別コードに応じたキャラクタ、及び、位置情報に応じた案内情報を取得する。処理部３４２は、位情報に応じた案内情報をデータベース部３４３から取得すると、次にステップＳ４−３で取得したキャラクタ、情報を情報提供端末装置３０２に送信する。なお、このとき、ネットワークでは、図１、図２に示すように時間情報及び位置情報としてＵＲＬが管理されており、ウェブサイトが検索される。
【００８０】
サーバ３０４から送出された情報は、情報提供端末装置３０２で受信され、その表示部３２５に表示される。
【００８１】
図１９は表示部３２５の表示画面を示す図である。
表示部３２５の画面３５１には、周辺地図情報が３次元表示でされている。このとき、ユーザの分身が３次元地図上に３次元のキャラクタ３５２として表示される。これによって、ユーザがあたかも３次元の仮想空間に存在するかの如く表示される。また、このとき、ショップＳ１、Ｓ２の情報Ｄ１、Ｄ２が表示される。ユーザは、ショップＳ１、Ｓ２の情報Ｄ１、Ｄ２を参照することにより所望のショップを探すことが可能となる。このとき、操作部３２６により情報Ｄ１、Ｄ２をクリックすることによりショップＳ１、Ｓ２の詳細な情報が表示される。
【００８２】
また、ユーザは、操作部３２６を操作することによりキャラクタ３５２を３次元空間中で自在に移動させることができる。キャラクタ３５２を移動させることで、これから向かう先などの情報を取得できる。
【００８３】
また、ユーザはキャラクタ３５２を３次元空間中で移動させ、目的地を探すことができる。ユーザは、仮想空間内の目的地をセットすることにより、図１２に示すように現在位置から目的地までガイドする案内矢印３５３が表示される。
【００８４】
ユーザは、案内情報表示画面中の案内矢印３５３を参照することにより目的地までスムーズに移動できる。
【００８５】
なお、位置検出手段はＧＰＳシステムに限定されるものではなく、要はユーザの位置を検知できるものであればよい。
【００８６】
さらに、ユーザは、自宅などでネットワーク３０３を通じて手持ちの端末装置３０５をサーバ３０４に接続させることにより、サーバ３０４に構築された３次元空間にアクセスできる。ユーザは、現場に向かう前に端末装置３０５を通じて行き先等をシミュレートすることが可能となる。また、ユーザが行き先をサーバ３０４にセットしておくことにより、現場でユーザが情報提供端末装置３０２の表示部３２５の案内矢印３５３を見ることにより、ユーザは行き先にスムーズに到達することができる。
【００８７】
また、ユーザには、識別コードが与えられるので、この識別コードを用い、サーバ１０４を介して情報の交換などを行うことも可能である。
【００８８】
また、本実施例のシステムは、テーマパークやエキスポなどの既存の地図がない会場用の歩行者ナビゲーションシステムとして有効となる。
【００８９】
また、災害時などは、情報提供端末装置３０２の表示部３２５に出口などの案内を案内矢印３５３で表示することにより非常時の避難経路を有効に案内できる。
【００９０】
また、サーバ３０４に識別コード毎に過去の履歴を記憶するようにしてもよい。これにより、ユーザが情報提供端末装置３０２の操作部３２６を操作して、表示部３２５に表示することが可能となる。また、端末装置３０５からサーバ３０４にアクセスして経路を知ることができる。
【００９１】
また、本実施例では、表示部３２５に表示するようにしたが、操作部３２６を操作することによって必要に応じて音声による案内を出力するようにしてもよい。
【００９２】
【発明の効果】
上述の如く、本発明によれば、ユーザがコンピュータシステム内のバーチャルな時空間を現実の時空間と同様に認識できる。よって、コンピュータシステム内のバーチャルな時空間を現実の時空間としてシミュレーションできる。また、また、現実の時空間とコンピュータシステム内のバーチャルな時空間とが一致するように構築されているため、目的とする情報を感覚的に取得できる。
【００９３】
また、本発明によれば、端末装置の所有者に対して的確に、周囲の情報を提供することができるため、端末装置の所有者を目的地に的確に案内できる等の特長を有する。
【００９４】
また、本発明によれば、歩行者の位置を位置検出手段により検出し、歩行者の通行経路に設けられており、歩行者に情報を出力する情報出力手段のうち位置検出手段で検出した位置に近接した情報出力手段に情報を提供することにより、歩行者が情報出力手段からの出力情報を参照することで、目的地に的確に到達できる等の特長を有する。
【００９５】
本発明によれば、情報提供装置を介して端末装置間で情報交換を可能とすることにより、端末装置間でコミュニケーションを容易にとることができる等の特長を有する。
【図面の簡単な説明】
【図１】本発明のシステム構成図である。
【図２】本発明の処理フローチャートである。
【図３】本発明の情報提供システムの第１実施例のシステム構成図である。
【図４】携帯端末装置１１１のブロック構成図である。
【図５】処理部１２３の処理フローチャートである。
【図６】サーバ１０４のブロック構成図である。
【図７】処理部１３２の処理フローチャートである。
【図８】表示部１２５の案内情報表示画面の一例を示す図である。
【図９】本発明の情報提供システムの第２実施例のシステム構成図である。
【図１０】携帯端末装置２０１のブロック構成図である。
【図１１】情報出力装置２０２のブロック構成図である。
【図１２】本発明の第２実施例の動作フローチャートである。
【図１３】本発明の情報提供システムの第３実施例のシステム構成図である。
【図１４】識別装置３０１のブロック構成図である。
【図１５】情報提供端末装置３０２のブロック構成図である。
【図１６】処理部３２２の処理フローチャートである。
【図１７】サーバ３０４のブロック構成図である。
【図１８】処理部３４２の処理フローチャートである。
【図１９】表示部３２５の表示画面を示す図である。
【符号の説明】
１００、２００、３００　情報提供システム、２　現実時空間
３　バーチャルな時空間
１１　端末装置、１２　ネットワーク、１３　サーバ
１１１　携帯端末装置、１１２　ネットワーク、１１３　サーバ
１１４　ＧＰＳ衛星
１２１　ＧＰＳアンテナ、１２２　ＧＰＳ受信部、１２３　処理部
１２４　メモリ、１２５　表示部、１２６　操作部、１２７　通信部
１２８　アンテナ、１２９　通話部
１３１　通信部、１３２　処理部、１３３　データベース部
１４１　表示画面、１４２　キャラクタ、１４３　案内矢印
２０１　携帯端末装置、２０２　情報出力装置
２１１　無線通信部
２２１　位置検出部、２２２　処理部、２２３　メモリ、２２４　通信部
２２５　無線通信部
３０１　識別装置、３０２　情報提供端末装置
３０３　ネットワーク、３０４　サーバ、３０５　端末装置
３１１　発振器、３１２　変調部、３１３　識別コード生成部
３１４　位置検出部、３１５　アンテナ
３２１　検出部、３２２　処理部、３２３　メモリ、３２４　通信部
３２５　表示部、３２６　操作部
３３１〜３３３　キャラクタ
３４１　通信部、３４２　処理部、３４３　データベース部
【図１】
2004021731.tif 000003
【図２】
2004021731.tif 000004
【図３】
2004021731.tif 000005
【図４】
2004021731.tif 000006
【図５】
2004021731.tif 000007
【図６】
2004021731.tif 000008
【図７】
2004021731.tif 000009
【図８】
2004021731.tif 000010
【図９】
2004021731.tif 000011
【図１０】
2004021731.tif 000012
【図１１】
2004021731.tif 000013
【図１２】
2004021731.tif 000014
【図１３】
2004021731.tif 000015
【図１４】
2004021731.tif 000016
【図１５】
2004021731.tif 000017
【図１６】
2004021731.tif 000018
【図１７】
2004021731.tif 000019
【図１８】
2004021731.tif 000020
【図１９】
2004021731.tif 000021